(57)【特許請求の範囲】
【請求項１】
公衆回線でのファクシミリ通信及び他のネットワークでの通信が可能なネットワークファクシミリ装置において、ファクシミリ通信時に前記他のネットワーク上の配信先との対応を示すアドレス情報を保持する配信先テーブルと、他のファクシミリ装置からのポーリング要求に応じ前記配信先テーブルを送信する通信制御手段を有し、前記通信制御手段は、前記配信先テーブルの中の予め指定されているクライアントに関する情報のみを前記他のファクシミリ装置に対して送信することを特徴とするネットワークファクシミリ装置。
【請求項２】
公衆回線でのファクシミリ通信及び他のネットワークでの通信が可能なネットワークファクシミリ装置において、ファクシミリ通信時に前記他のネットワーク上の配信先との対応を示すアドレス情報を保持する配信先テーブルと、他のファクシミリ装置からのポーリング要求に応じ前記配信先テーブルを送信する通信制御手段を有し、前記通信制御手段は、前記他のファクシミリ装置の電話番号あるいはパスコードに応じて、前記配信先テーブルの全部を送信するか一部のみを送信するかを切り換えることを特徴とするネットワークファクシミリ装置。
【請求項３】
公衆回線でのファクシミリ通信及び他のネットワークでの通信が可能なネットワークファクシミリ装置において、ファクシミリ通信時に前記他のネットワーク上の配信先との対応を示すアドレス情報をグループ毎に保持する配信先テーブルと、他のファクシミリ装置からのポーリング要求に応じ前記配信先テーブルを送信する通信制御手段を有し、前記通信制御手段は、前記他のファクシミリ装置の電話番号あるいはパスコードに応じたグループの前記配信先テーブルのみを送信することを特徴とするネットワークファクシミリ装置。
【請求項４】
さらに、前記他のファクシミリ装置が前記配信先テーブルを取得することを認証する認証手段を有し、該認証手段で認証された前記他のファクシミリ装置にのみ前記配信先テーブルを送信することを特徴とする請求項１ないし請求項３のいずれか１項に記載のネットワークファクシミリ装置。
【発明の詳細な説明】
【０００１】
【発明の属する技術分野】
本発明は、公衆回線を用いて他のファクシミリ装置とファクシミリ通信が可能であり、かつ、ＬＡＮなどの他のネットワークにも接続可能なネットワークファクシミリ装置に関するものである。
【０００２】
【従来の技術】
近年、従来と同様に公衆回線に接続されるとともに、ＬＡＮなどの他のネットワークにも接続することができるネットワークファクシミリ装置が開発されている。このネットワークファクシミリ装置を用いることによって、ＬＡＮなどのネットワークに接続されているコンピュータ等の機器から他のファクシミリ装置へ画情報を送ることができる。また、他のファクシミリ装置から公衆回線を通じて受信したファクシミリデータを、ＬＡＮなどのネットワークに接続されているコンピュータ等の機器あるいはそれらの機器を利用する利用者（以下、クライアントと呼ぶ）に配信することができる。
【０００３】
他のファクシミリ装置からＬＡＮなどのネットワーク上の特定のクライアントに対してファクシミリデータを配信する場合、その配信先のクライアントを指定する必要がある。この指定には、ファクシミリ通信の規約上の制限などにより、ＬＡＮなどのネットワーク上のメールアドレスなどを利用することはできない。そのため、例えばＩＳＤＮサブアドレス、Ｆコードサブアドレス、ＤＴＭＦ、ＴＳＩ信号などをアドレス情報として利用して、配信先のクライアントを特定している。
【０００４】
ネットワークファクシミリ装置は、これらのクライアントを指定する情報と当該クライアントとを対応づける配信先テーブルを有している。この配信先テーブルを利用し、他のファクシミリからの着信時に送られてくるクライアントを指定するアドレス情報に基づいて、ファクシミリデータを配信するクライアントを特定し、特定したクライアントに対して受信したファクシミリデータを配信する。このようにして、ネットワークファクシミリ装置を利用することによって、他のファクシミリ装置からＬＡＮなどに接続されているクライアントに対してファクシミリデータを送ることができる。
【０００５】
しかし、外部のファクシミリ装置からクライアントを特定してファクシミリデータを配信には、上述のように配信先のクライアントを指定するためのＦコードサブアドレスなどのアドレス情報が必要となる。一般的にはクライアントの例えばメールアドレス等がわかっているという場合が多いものの、ファクシミリ送信する際に利用するアドレス情報がわかっていることは少ない。そのため、ＬＡＮなどのネットワーク上のクライアントにファクシミリデータを配信可能であることはわかっていても、実際に送信する場合の障害となっていた。
【０００６】
【発明が解決しようとする課題】
本発明は、上述した事情に鑑みてなされたもので、ＬＡＮなどのネットワーク上のクライアントに対してファクシミリ送信する際のアドレス情報を容易に知ることができるネットワークファクシミリ装置を提供することを目的とするものである。
【０００７】
【課題を解決するための手段】
本発明は、公衆回線でのファクシミリ通信及び他のネットワークでの通信が可能なネットワークファクシミリ装置において、ファクシミリ通信時に他のネットワーク上の配信先との対応を示すアドレス情報を保持する配信先テーブルと、他のファクシミリ装置からのポーリング要求に応じ配信先テーブルを送信する通信制御手段を有し、通信制御手段は、配信先テーブルの中の予め指定されているクライアントに関する情報のみを他のファクシミリ装置に対して送信し、または、他のファクシミリ装置の電話番号あるいはパスコードに応じて配信先テーブルの全部を送信するか一部のみを送信するかを切り換え、あるいは、他のファクシミリ装置の電話番号あるいはパスコードに応じたグループの配信先テーブルのみを送信することを特徴とするものである。
【０００８】
これによって、通信を行いたい他のファクシミリ装置では、ポーリング受信により配信先テーブルが得られるので、これをもとに配信先のクライアントに対応するアドレス情報を容易に知ることができる。他のファクシミリ装置では、得られたアドレス情報を用い、ファクシミリ送信すればよい。ネットワークファクシミリ装置は、ファクシミリ通信時に送られてきたアドレス情報により配信先のクライアントを特定し、そのクライアントの例えばメールアドレスに対して受信したファクシミリデータを転送する。これにより、配信先のクライアントにファクシミリデータを配信することができる。また、ポーリング要求に従って配信先テーブルを送信する際には、配信先テーブルのすべての内容を送らないので、配信先テーブルすべてが公開されてしまうのを防止することができる。
【０００９】
また、認証手段を有し、認証手段で認証された場合にのみ、配信先テーブルを送信するように構成することもできる。これによって配信先テーブルの秘匿性を向上させることができる。
【００１０】
【発明の実施の形態】
図１は、本発明のネットワークファクシミリ装置の実施の一形態を含むシステムの一例を示す構成図である。図中、１はネットワークファクシミリ装置、２はファクシミリ装置、３は公衆回線、４はクライアント、５はＬＡＮ、１１は通信制御部、１２は配信先テーブル、１３は認証部である。ネットワークファクシミリ装置１は、公衆回線３を通じて他のファクシミリ装置２との間でファクシミリ通信を行うことができる。また、ＬＡＮ５にも接続されており、ＬＡＮ５に接続されているパーソナルコンピュータ等のクライアント４などとの間でデータ通信を行うことができる。なお、ＬＡＮ５には各種の機器が接続されていてよい。
【００１１】
ネットワークファクシミリ装置１は、通信制御部１１，配信先テーブル１２，認証部１３などを有している。通信制御部１１は、公衆回線３を通じた他のファクシミリ装置２とのファクシミリ通信や、ＬＡＮ５を通じたクライアント４との通信機能を有している。公衆回線３を通じた通信機能およびＬＡＮ５を通じた通信機能を利用し、公衆回線３に接続されたファクシミリ装置２と、ＬＡＮ５に接続されたクライアント４との間での通信を可能にしている。ファクシミリ装置２からファクシミリデータを受信した場合には、通信制御部１１は、配信先テーブル１２を用いて、ファクシミリ受信時に送られてくるアドレス情報（例えば、Ｆコードのサブアドレス信号）からＬＡＮ５上のクライアントの例えばメールアドレスを得る。そして得られたメールアドレスに対して、ファクシミリ装置２から受信したファクシミリデータをメールの形態に変換して配信する。通信制御部１１は、特に公衆回線３を介して他のファクシミリ装置２から配信先テーブル１２のポーリング要求を受けると、認証部１３で相手先の認証確認を行った後、配信先テーブル１２を相手先に送信する機能を有している。
【００１２】
配信先テーブル１２は、ＬＡＮ５上の各クライアントごとに、ＬＡＮ５上の例えばメールアドレスと、対応するファクシミリ通信時のアドレス情報とを対応づけて保持している。図２は、配信先テーブル１２の一例の説明図である。図２に示した例では、ＬＡＮ５上の各クライアントごとに、ＬＡＮ５におけるメールアドレスと、公衆回線３を介して他のファクシミリ装置２から各クライアントを特定する際のアドレス情報としてＦコードサブアドレスとを対応づけている。例えばクライアント「ＡＢＣ」は、ＬＡＮ５におけるメールアドレスは「ＡＢＣ＠ｘｘｘ．ｙｙｙ」であり、公衆回線３を介して他のファクシミリ装置２がクライアント「ＡＢＣ」を指定するアドレス情報は、Ｆコードサブアドレスが「１」である。
【００１３】
認証部１３は、他のファクシミリ装置２から配信先テーブル１２のポーリング要求を受けた場合に、そのファクシミリ装置２に配信先テーブル１２を送信してよいか否かを判定し、判定結果を通信制御部１１に伝える。認証は、例えばＴＳＩ信号や発信元番号通知サービスで得た相手先の電話番号、相手先から送られてくるＦコードパスコードなどによって行うことができる。例えば予め配信先テーブル１２の送信を許可する相手先の電話番号を登録しておき、登録されている相手先ファクシミリ装置からのポーリング要求については、配信先テーブル１２の送信を許可することができる。さらにＦコードパスコードを対応づけて設定しておき、相手先の電話番号およびＦコードパスコードが一致した場合に限って配信先テーブル１２の送信を許可することができる。
【００１４】
本発明のネットワークファクシミリ装置の実施の一形態における動作について説明する。ここでは一例として、図１に示したようなシステムを想定して、その動作について説明する。図３は、本発明のネットワークファクシミリ装置の実施の一形態における配信先テーブルの送信動作の一例を示すフローチャートである。ファクシミリ装置２から公衆回線３を介して着信すると、まずＳ２１において、ＮＳＳ信号、ＮＳＦ信号により配信先テーブル１２に対するポーリング要求か否かを判定する。配信先テーブル１２に対するポーリング要求である場合には、Ｓ２２において、認証部１３で相手先の認証を行う。例えば相手先のファクシミリ装置の電話番号や、パスコード等によって行うことができる。予め設定されている電話番号と、相手先のファクシミリ番号が同じであり、さらに送られてきたパスコードが予め設定されているパスコードと一致すれば、Ｓ２３において認証が成功したものとして通信制御部１１に通知し、Ｓ２４に進む。なお、認証に失敗した場合には、ポーリング要求に応じずにそのまま回線を切り、処理を終了する。このような認証部１３により認証を行うことによって、不特定多数の相手先に配信先テーブル１２の内容が公開され、個人情報が漏出してしまう事態を防ぐことができる。
【００１５】
認証部１３で認証に成功した場合には、配信先テーブル１２の内容を相手先のファクシミリ装置に送信する。このとき、配信先テーブル１２の一部のみを送信することが指定されている場合には、Ｓ２４からＳ２６に進み、配信先テーブルの中の予め指定されているクライアントに関する情報のみを相手先のファクシミリ装置に対してファクシミリデータに変換して送信する。Ｓ２４で一部のみを送信する指定がなされていない場合には、Ｓ２５において、配信先テーブル１２のすべての内容を相手先のファクシミリ装置に対してファクシミリ装置に変換して送信する。
【００１６】
なお、相手先の電話番号やパスコードに応じて、配信先テーブル１２の全部を送信する場合と一部のみを送信する場合を分けてもよい。また、配信先テーブル１２をグループ化しておき、相手先の電話番号やパスコードに応じていずれのグループかを判定し、そのグループに応じた配信先テーブル１２を送信するように構成してもよい。このようにして配信先テーブル１２の一部のみを送信する機能を付加することにより、例えば公開している代表アドレスのみを送信し、個人情報を送信しないようにすることができる。
【００１７】
このようにして、ファクシミリ装置２からネットワークファクシミリ装置１に配信先テーブル１２に対するポーリング要求を行うと、ファクシミリ装置２がネットワークファクシミリ装置１の認証部１３で認証されれば、配信先テーブル１２の全部または一部を受信することができる。ファクシミリ装置２では、ポーリング受信した配信先テーブル１２の内容を出力することができる。これによりファクシミリ装置２の利用者は、出力された配信先テーブル１２の内容を参照し、ファクシミリデータを送信したいＬＡＮ５上のクライアント４に対応づけられているアドレス情報を得ることができる。そして、取得したクライアント４に対応づけられているアドレス情報を用いることによって、ＬＡＮ５上のクライアント４に対してファクシミリデータを送信することができる。
【００１８】
例えば図２に示すような配信先テーブル１２の内容が送られてきた場合、ＬＡＮ５上のクライアント「ＡＢＣ」にファクシミリデータを送りたい場合には、クライアント「ＡＢＣ」に対応づけられているアドレス情報としてＦコードサブアドレス「１」を利用すればよい。すなわち、ファクシミリ装置２の利用者は、ネットワークファクシミリ装置１にＦコードサブアドレス「１」を付加してファクシミリ送信を行う。
【００１９】
ネットワークファクシミリ装置１は、ファクシミリ装置２からファクシミリ着信があると、図３のＳ２１における配信先テーブル１２に対するポーリング要求でなければ、その他のポーリング要求に対する処理、あるいはファクシミリデータの受信処理を行う。ＬＡＮ５上のクライアント４に対するアドレス情報が付加されている場合には、いったんファクシミリデータを受信しておく。そして、付加されているアドレス情報をもとに配信先テーブル１２を参照し、クライアントおよびメールアドレスを取得する。そして、受信したファクシミリデータをメールの形式に変換し、取得したメールアドレスへ送信することができる。あるいは、受信したファクシミリデータを取得したクライアントごとに蓄積しておき、クライアント４からファクシミリデータの取り出し要求があったときに、そのクライアント４宛のファクシミリデータをクライアント４に送信することができる。
【００２０】
このようにして、公衆回線３に接続されたファクシミリ装置２からＬＡＮ５上のクライアント４に対してファクシミリデータを送信することができる。このとき、クライアント４に対応づけられたファクシミリ送信時のアドレス情報がわからない場合でも、ポーリング要求によって簡単にネットワークファクシミリ装置１からアドレス情報を取得し、ファクシミリ送信することができる。
【００２１】
上述の例、例えば図２に示した配信先テーブル１２では、ＬＡＮ５上のクライアント４に対応するアドレス情報としてＦコードサブアドレスを用いる例を示したが、本発明はこれに限られるものではない。例えば、ＴＳＩ信号、Ｓａｌｕｔａｔｉｏｎコマンド、ＤＴＭＦ信号など、他の情報をアドレス情報として利用することも可能である。
【００２２】
ＬＡＮ５上のクライアント４から公衆回線３に接続されたファクシミリ装置２へ例えばメールを送信する場合には、クライアント４は、ファクシミリ装置２の電話番号あるいはファクシミリ装置２に対応づけられたメールアドレス等を指定してメールを送信する。このメールはいったんネットワークファクシミリ装置１で受信され、ファクシミリ形式のデータに変換された後、指定されている電話番号あるいはメールアドレスに対応づけられている電話番号に発呼し、送信する。これによって、ＬＡＮ５上のクライアント４が発信したメールは、ファクシミリデータとしてファクシミリ装置２によって受信される。
【００２３】
なお、ＬＡＮ５には例えば図示しないメールサーバが接続されている場合が多く、その場合にはクライアント４が発信したメールは、メールサーバを介してネットワークファクシミリ装置１に配信されることになる。また逆に、ファクシミリ装置２から発信され、ネットワークファクシミリ装置１で受信後にクライアント４宛にメールとして発信したファクシミリデータも、メールサーバを介してクライアント４に配信されることになる。もちろん、ネットワークファクシミリ装置１がメールサーバの機能を有していてもよい。
【００２４】
また、上述の説明において、ＬＡＮ５上のクライアント４は、ＬＡＮ５に直接接続されている機器であってもよいが、このＬＡＮ５の利用者であってよい。利用者がＬＡＮ５に接続されている、例えばコンピュータを利用することによって、そのコンピュータが利用者に対応づけられたクライアント４となる。
【００２５】
【発明の効果】
以上の説明から明らかなように、本発明によれば、ポーリング要求に応じて、ＬＡＮなどのネットワーク上のクライアントと公衆回線を利用してファクシミリ送信する場合のアドレス情報を対応づけた配信先テーブルを送信することができる。これによって、ＬＡＮなどのネットワークに接続されているクライアントに対応したファクシミリ送信時のアドレス情報を容易に得ることができるという効果がある。得られたアドレス情報を用いることによって、ＬＡＮなどのネットワークに接続されているクライアントに対して、ファクシミリデータを送信することができる。
【００２６】
また、ポーリング要求に応じて配信先テーブルを送信する際に、配信先テーブルの一部のみを送信したり、あるいは認証チェックを行うことによって、配信先テーブルの内容をすべて公開してしまうことを防止し、例えば個人情報の流出などを避けることができるという効果もある。
【図面の簡単な説明】
【図１】本発明のネットワークファクシミリ装置の実施の一形態を含むシステムの一例を示す構成図である。
【図２】配信先テーブル１２の一例の説明図である。
【図３】本発明のネットワークファクシミリ装置の実施の一形態における配信先テーブルの送信動作の一例を示すフローチャートである。
【符号の説明】
１…ネットワークファクシミリ装置、２…ファクシミリ装置、３…公衆回線、４…クライアント、５…ＬＡＮ、１１…通信制御部、１２…配信先テーブル、１３…認証部。
【図１】
0003755562.tif 000002
【図２】
0003755562.tif 000003
【図３】
0003755562.tif 000004